(57)【要約】      （修正有）【課題】建築現場等でコンクリートの打設に当たって組み立てられる作業用の足場のパイプ支柱の下部を支持するもので、高さ調整時等における軸部材の締緩作業に電動締め付け工具の使用を可能にしたパイプ支持受け金具を提供する。【解決手段】椀型の有底支持部材１１の底部の断面凸形部の中央部に、電動締め付け工具Ｅの回転軸Ｊに取り付けるねじ回し用の工具と結合可能なねじ頭部材１１１が接合されてなる。有底支持部材１１の高さ調整、或いは金具本体７１からの有底支持部材及び軸部材３１の取り外し等の締緩作業に電動締め付け工具Ｅの使用が可能となる。【選択図】図１０
0003207752.tif 000002
【実用新案登録請求の範囲】
【請求項１】
建築現場において打設されるコンクリート面の上で作業を行うための足場を支えるパイプ支柱を支持することを目的として使用されるパイプ支持受け金具であって、
椀型に形成され、上方から挿し入れられた前記パイプ支柱の下端を椀の底部上面で支持する有底支持部材と、
前記有底支持部材の底部下面中央部に接合され、螺旋状の上下動による高さ調整用の雄ねじが外周面に形成されてなる軸部材と、
前記軸部材の雄ねじに螺合されてなる前記雄ねじのゆるみ止め用のロックナットと、
上端部が上端面に開口を有する小径円筒部に形成され、下端部が該小径円筒部の下端から下方に向かって拡径されてなる大径円筒部に形成され、該大径円筒部の下端に板状のベース部材が接合されてなる中空の金具本体と、を備え、
前記小径円筒部の内周面に前記軸部材を螺合可能な雌ねじが形成されてなり、
前記雌ねじに螺合された前記軸部材の高さを調整した後、前記ロックナットを前記金具本体の上端面に対して締め付けることにより、前記金具本体と前記軸部材とが固定されてなり、
前記有底支持部材の底部上面の中央部に電動締め付け工具の回転軸と結合可能なねじ頭部材が接合されてなる
ことを特徴とするパイプ支持受け金具。
【請求項２】
前記ねじ頭部材の形状が、正六角柱形である
ことを特徴とする請求項１に記載のパイプ支持受け金具。
【請求項３】
前記ねじ頭部材の上面中央部に正六角形の穴が形成された
ことを特徴とする請求項１に記載のパイプ支持受け金具。
【請求項４】
前記ねじ頭部材の上面中央部に十字穴が形成された
ことを特徴とする請求項１に記載のパイプ支持受け金具。
【考案の詳細な説明】
【技術分野】
【０００１】
本考案は、地下の耐圧盤、或いはベタ基礎等のコンクリートの打設に当たって組み立てられる作業用の足場等を支えるパイプ支柱の下部を支持するためのパイプ支持受け金具に関する。
【背景技術】
【０００２】
パイプ支柱の下端部を受ける円形カップ状の支持部の中央部に、円形断面からなる突起部を設けることにより、前記突起部の外径と、前記支持部を形成する円形カップの内径とで、大小の２種類の口径のパイプ支柱の下端部を選択的に係合させることができるように構成したことを特徴とするパイプ支持金具が提案されている（特許文献１参照）。
【先行技術文献】
【特許文献】
【０００３】
【特許文献１】特開２０１０−１１２０５０号公報
【考案の概要】
【考案が解決しようとする課題】
【０００４】
しかしながら、従来のパイプ支持金具によれば、コンクリート打設時における前記支持部の高さ調整を行う場合、或いはコンクリート打設終了後における支持金具本体からの前記支持部の分離・回収を行う場合、前記支持部の底部下面から下方に延設されてなる支持軸部のねじの締緩作業を行うことになるが、該締緩作業が手作業で行うことになり、手間が掛かり、やり難いために作業にかける労力が多くなるという課題があった。
【課題を解決するための手段】
【０００５】
そこで、上記課題を解決するための手段として本考案に係るパイプ支持受け金具は、建築現場において打設されるコンクリート面の上で作業を行うための足場を支えるパイプ支柱を支持することを目的として使用されるパイプ支持受け金具であって、椀型に形成され、上方から挿し入れられた前記パイプ支柱の下端を椀の底部上面で支持する有底支持部材と、前記有底支持部材の底部下面中央部に接合され、螺旋状の上下動による高さ調整用の雄ねじが外周面に形成されてなる軸部材と、前記軸部材の雄ねじに螺合されてなる前記雄ねじのゆるみ止め用のロックナットと、上端部が上端面に開口を有する小径円筒部に形成され、下端部が該小径円筒部の下端から下方に向かって拡径されてなる大径円筒部に形成され、該大径円筒部の下端に板状のベース部材が接合されてなる中空の金具本体と、を備え、前記小径円筒部の内周面に前記軸部材を螺合可能な雌ねじが形成されてなり、前記雌ねじに螺合された前記軸部材の高さを調整した後、前記ロックナットを前記金具本体の上端面に対して締め付けることにより、前記金具本体と前記軸部材とが固定されてなり、前記有底支持部材の底部上面の中央部に電動締め付け工具の回転軸と結合可能なねじ頭部材が接合されてなることを特徴とする。
【０００６】
これにより、前記有底支持部材の高さ調整、或いは前記金具本体からの前記有底支持部材及び前記軸部材の取り外し等の際に行う前記軸部材の締緩作業に電動締め付け工具の使用が可能となる。
【０００７】
また、前記ねじ頭部材の形状が、正六角柱形であることとしても好ましい。これにより、ねじ回し用治具のソケットレンチを電動締め付け工具の回転軸にセットし、該ソケットレンチを前記ねじ頭部材に結合することで、簡単に電動での前記締緩作業ができる。
【０００８】
また、前記ねじ頭部材の上面中央部に正六角形の穴が形成されたこととしても好ましい。これにより、ねじ回し用治具の六角レンチを電動締め付け工具の回転軸にセットし、該六角レンチを前記ねじ頭部材に結合することで、簡単に電動での前記締緩作業ができる。
【０００９】
また、前記ねじ頭部材の上面中央部に十字穴が形成されたこととしても好ましい。これにより、ねじ回し用治具の十字ドライバーを電動締め付け工具の回転軸にセットし、該十字ドライバーを前記ねじ頭部材に結合することで、簡単に電動での前記締緩作業ができる。前記ねじ頭部材に形成された正六角形の穴及び十字穴の中心は、前記軸部材の中心軸と一致してなることが望ましい。電動締め付け工具による締緩作業による回転のぶれを生じさせずに作業を行うことができるためである。
【００１０】
前記有底支持部材は、底部と、底部から曲線により連接して略垂直に立ち上がる壁部と、該壁部の先端が開口部を有する椀型に形成されてなり、該開口部の頂部は、フレアのように外側へ広がってなることが好ましい。これにより、前記有底支持部材に前記パイプ支柱を容易に挿し入れることができる。
【００１１】
また、前記有底支持部材の底部の中央は、断面凸形にすることが好ましい。これにより、断面凸形部と椀型の内周面との間にＵ字状の溝部が形成され、前記パイプ支柱（例えば、ＪＩＳ  Ｇ  ３４４４に規定されている外径４８．６ｍｍの一般構造用炭素鋼鋼管）を安定して挿し入れることができる。
【００１２】
また、前記有底支持部材の壁部には、前記有底支持部材の中心を通る中心線上の両側に貫通孔を設けても良い。これにより、何らかの理由で前記ねじ頭部材が使えなくなった場合に、該貫通孔に鉄製の丸棒を挿通して手動によって前記締緩作業が可能となる。
【００１３】
また、前記ベース部材の端部に数箇所の貫通孔を設けても良い。これにより、耐圧盤の捨てコンクリート等に該貫通孔を介してコンクリート釘を打ち込んで、捨てコンクリート等に前記金具本体を固定することができる。
【考案の効果】
【００１４】
本考案によれば、電動締め付け工具の回転軸に取り付けるねじ回し用の治具と結合可能な前記ねじ頭部材が設けられてなることにより、前記有底支持部材の高さ調整、或いは前記金具本体からの前記有底支持部材及び前記軸部材の取り外し等の際に行う前記軸部材の締緩作業に電動締め付け工具の使用が可能となり、それによって、該締緩作業がやり易くなり、作業にかける労力の大幅ダウンが可能なパイプ支持受け金具を提供することができる。
【００１５】
しかも、前記ねじ頭部材の形状が、正六角柱形であること、或いは上面中央部に正六角形の穴が形成されたこと、さらには上面中央部に十字穴が形成されたこと等により、電動締め付け工具で通常使用されるねじ回し用治具で前記締緩作業ができることになり、電動締め付け工具の回転軸にセットするねじ回し用治具への結合が便利なパイプ支持受け金具を提供することができる。
【図面の簡単な説明】
【００１６】
【図１】本考案の一実施例を示す図であり、パイプ支持受け金具の正面図である。
【図２】図１のパイプ支持受け金具を示し、（ａ）は平面図、（ｂ）は底面図である。
【図３】図２のＡ−Ａ断面図であり、軸部材を下部位置まで下げた状態である。
【図４】図２のＡ−Ａ断面図であり、軸部材を中間位置まで上げた状態である。
【図５】本考案の一実施例の使用状態を示す参考図であり、パイプ支柱の下部を支持した状態のパイプ支持受け金具の片側断面図である。
【図６】本考案の一実施例の使用状態を示す参考図であり、コンクリート打設・硬化後に、コンクリート中に埋設された有底支持部材からパイプ支柱を外している状態のパイプ支持受け金具の片側断面図である。
【図７】本考案の一実施例の使用状態を示す参考図であり、図６の継続作業である、有底支持部材の空間部にモルタル等を充填した状態のパイプ支持受け金具の片側断面図である。
【図８】本考案の一実施例の使用状態を示す参考図であり、有底支持部材をコンクリートに埋設しない使用方法で、コンクリート打設・硬化後に、有底支持部材からパイプ支柱を外している状態のパイプ支持受け金具の片側断面図である。
【図９】本考案の一実施例の使用状態を示す参考図であり、図８の継続作業である、コンクリート中に埋設された金具本体から有底支持部材及び軸部材を取り外している状態のパイプ支持受け金具の片側断面図である。
【図１０】本考案の一実施例の使用状態を示す参考図であり、電動締め付け工具の回転軸にソケットレンチをセットして、該ソケットレンチをねじ頭部材に結合した状態のパイプ支持受け金具の断面図である。
【図１１】本考案の一実施例の使用状態を示す参考図であり、建築現場の足場のパイプ支柱を支持している状態のパイプ支持受け金具及び足場の参考斜視図である。
【考案を実施するための形態】
【００１７】
以下、本考案に係る実施の形態を、図１乃至図４を参照しながら詳しく説明する。
【００１８】
本考案のパイプ支持受け金具１は、有底支持部材１１、ねじ頭部材１１１、軸部材３１、ロックナット５１、金具本体７１、及びベース部材９１を構成部材として備えている。
【００１９】
有底支持部材１１は、全体が椀型で形成され、底部１５と、底部１５から曲線により連接して略垂直に立ち上がる壁部１７と、壁部１７の先端が開口部を有してなり、特に開口部の頂部はフレアのように外側へ広がっている形状とすることにより、上方から容易にパイプ支柱Ｐを挿し入れられることができ、パイプ支柱Ｐの下端を椀型の底部上面１５１で支持するように構成されてなり、有底支持部材１１の中心を通る中心線上の両側の壁部に貫通孔１３，１３が設けられてなる。
【００２０】
また、有底支持部材１１の底部の中央は、断面凸形の形状となっており、この断面凸形部１９と壁部１７の内周面との間にできた断面Ｕ字状の溝部により底部上面１５１が形成されてなる。
【００２１】
また、貫通孔１３は、何らかの理由でねじ頭部材１１１が使えなくなった場合に、貫通孔１３，１３に鉄製の丸棒を挿通して（図示せず）、手動により軸部材３１の締緩作業ができるように予防的な構成としてなる。
【００２２】
ねじ頭部材１１１は、形状が正六角柱形で、例えば対辺寸法が１７ｍｍのナットを有底支持部材１１の底部１５の中央部にアーク溶接等で溶接して接合されてなる。また、ねじ頭部材１１１は、上面中央部に正六角形の穴が形成された六角穴付き形状、或いは上面中央部に十字穴が形成されたプラスねじ頭形状でもよく、これらの他にも、マイナスねじ頭形状、四角柱形等であってもよい。
【００２３】
軸部材３１は、図５に示すように、軸部材３１の中心軸とねじ頭部材１１１の中心軸とを中心線Ｙに一致させて有底支持部材１１の底部下面１５３の中央部にアーク溶接等で溶接して接合部３５が形成されてなる。また、軸部材３１の外周面には、螺旋状の上下動による高さ調整用の雄ねじ３３が軸部材３１の下端から形成されてなる。この軸部材３１と金具本体７１の長さの組合せにより、パイプ支持受け金具１の製品仕様としての寸法規格が設定されることになる。
【００２４】
ロックナット５１は、軸部材３１の雄ねじ３３に螺合されてなる雄ねじ３３のゆるみ止め用のナットであり、雌ねじ７５に螺合された軸部材３１の高さを調整した後、ロックナット５１を金具本体７１の小径円筒部７３の上端面の開口部７３１に対して締め付けることにより、金具本体７１と軸部材３１とが固定されることになる。
【００２５】
金具本体７１は、中空のパイプ状で、上端部が上端面に開口部７３１を有し、その内周面に軸部材３１を螺合可能な雌ねじ７５が形成されてなる小径円筒部７３と、下端部が小径円筒部７３の下端から下方に向かって拡径されてなる大径円筒部７７とで形成され、大径円筒部７７の下端に板状のベース部材９１をアーク溶接等で溶接して接合部７９が形成されてなる。
【００２６】
ベース部材９１は、大径円筒部７７の外径よりも幅広に形成されてなる矩形の板状で、パイプ支持受け金具１を耐圧盤等に固定するコンクリート釘９５を通すための貫通孔９３を四隅に設けてなる。また、ベース部材９１の大きさは、パイプ支柱Ｐの直立の安定化と有底支持部材１１に掛かる荷重分散を考慮して、有底支持部材３１の外径よりも大きくする方がよい。
【００２７】
次に、本考案のパイプ支持受け金具１の使用状態について、図５乃至図１１を参照しながら詳しく説明する。
【００２８】
本考案のパイプ支持受け金具１は、図５に示すように、パイプ支持受け金具１のベース部材９１を耐圧盤Ｔにコンクリート釘９５で固定し、耐圧盤Ｔに対する有底支持部材１１の高さをねじ頭部材１１１に結合した電動締め付け工具Ｅで調整し、ロックナット５１を締め付けて金具本体７１と軸部材３１とを固定した後、足場Ａのパイプ支柱Ｐの下端を有底支持部材１１に挿し入れて支持するものである。
【００２９】
図６及び図７に示すのは、有底支持部材１１をコンクリートＣに埋設する場合の使用方法である。耐圧盤Ｔにパイプ支持受け金具１が固定され、上部に足場Ａが組み立てられ（図１１参照）、コンクリートＣが打設され、規定された硬化が完了した後、上部の足場Ａの解体によりパイプ支柱Ｐが取り除かれることになり、パイプ支柱Ｐが取り除かれた有底支持部材１１の空間部ＫにモルタルＭ等を充填することにより、パイプ支持受け金具１をモルタルＭ等で覆うことができる。
【００３０】
図８及び図９に示すのは、有底支持部材１１をコンクリートＣに埋設せずに、有底支持部材１１と軸部材３１を回収してリサイクルする場合の使用方法である。耐圧盤Ｔにパイプ支持受け金具１が固定され、上部に足場Ａが組み立てられ（図１１参照）、コンクリートＣが打設され、規定された硬化が完了した後、上部の足場Ａの解体によりパイプ支柱Ｐが取り除かれることになり、パイプ支柱Ｐが取り除かれた有底支持部材１１を電動締め付け工具Ｅにより（図１０参照）、軸部材３１の雄ねじを緩めて有底支持部材１１及び軸部材３１を回収するものである。また、軸部材３１を取り出した後の空間部Ｋは、上記と同様にモルタル等を充填することにより（図示せず）、空間部Ｋを塞ぐことができる。
【００３１】
図１０及び図１１に示すように、電動締め付け工具Ｅの回転軸Ｊにセットしたねじ回し用治具であるソケットレンチＳをねじ頭部材１１１と結合することにより、足場Ａの組立時における有底支持部材１１の高さ調整の際、或いは、足場Ａの解体時における金具本体７１からの有底支持部材１１及び軸部材３１の取り外しの際に行う軸部材３１の締緩作業を中心線Ｙを回転軸として電動締め付け工具Ｅで簡単に電動により行うことができる。
【００３２】
以上説明したように、有底支持部材１１の高さ調整、或いは金具本体７１からの有底支持部材１１及び軸部材３１の取り外し等における、軸部材３１の締緩作業に電動締め付け工具Ｅを使用することができるために、該締緩作業がやり易くなるとともに、締緩作業にかける労力を少なくでき、建築現場のコストダウンが可能なパイプ支持受け金具１を提供することができる。
【００３３】
本考案のパイプ支持受け金具１は、構成部材毎に電気亜鉛メッキ等の防錆処理を施して耐久性が向上されてなる。
【００３４】
また、本考案のパイプ支持受け金具１は、前記実施例以外にも、例えば、雪養生時の支柱受け等に使用されてもよい。
【符号の説明】
【００３５】
１    パイプ支持受け金具
１１    有底支持部材
１３    貫通孔
１５    底部
１７    壁部
１９    断面凸形部
３１    軸部材
３３    雄ねじ
３５    接合部
７１    金具本体
７３    小径円筒部
７５    雌ねじ
７７    大径円筒部
７９    接合部
９１    ベース部材
９３    貫通孔
９５    コンクリート釘
１１１    ねじ頭部材
１５１    底部上面
１５３    底部下面
７３１    開口部
Ａ    足場
Ｃ    コンクリート
Ｅ    電動締め付け工具
Ｊ    回転軸
Ｋ    空間部
Ｍ    モルタル
Ｐ    パイプ支柱
Ｓ    ソケットレンチ
Ｔ    耐圧盤
Ｙ    中心線
【図１】
0003207752.tif 000003
【図２】
0003207752.tif 000004
【図３】
0003207752.tif 000005
【図４】
0003207752.tif 000006
【図５】
0003207752.tif 000007
【図６】
0003207752.tif 000008
【図７】
0003207752.tif 000009
【図８】
0003207752.tif 000010
【図９】
0003207752.tif 000011
【図１０】
0003207752.tif 000012
【図１１】
0003207752.tif 000013